(57)【特許請求の範囲】
【請求項１】
１つまたは複数の刃（１８）を支持するハウジング（１６）、ガード（２０）、及びキャップ（２２）を備えたシェービングカートリッジであって、
上記カートリッジは、カム面（１３６）と、前記ハウジングを付勢することなしに揺動可能に支持する揺動支持構造（２８）及びハンドル（１２）に取り外し可能かつ固定的に取り付けられるベース構造（２７）を有した相互接続部材（２４）と、をさらに備え、
前記相互接続部材（２４）は、前記ハンドル（１２）上でばね付勢されているカムフォロア（４４）が前記カム面（１３６）に作用できるように構成されている、交換可能なシェービングカートリッジ。
【請求項２】
前記ハウジングは、前記刃の下方に空間を有している、請求項１に記載の交換可能なシェービングカートリッジ。
【請求項３】
前記揺動支持構造は、前記ガードの領域で前記刃（１８）の前方に揺動軸を有している、請求項１に記載の交換可能なシェービングカートリッジ。
【請求項４】
前記ベース構造（２７）は、ハンドル（１２）の端部の延長部（２６）に取り付けられ、かつ前記延長部（２６）は外側面を有し、さらに前記ベース構造（２７）は、前記延長部に前記ベース構造を動かないように配置するべく前記外側面に係合する内側を向いた側面を具備した溝（１３０）を有している、請求項１に記載の交換可能なシェービングカートリッジ。
【請求項５】
前記ベース構造（２７）の溝（１３０）は、前記ハウジングの揺動軸に関して非平行である軸線を有し、前記溝（１３０）の軸線に沿って延長部（２６）が溝（１３０）内へ挿入されることができる、請求項４に記載の交換可能なシェービングカートリッジ。
【請求項６】
前記延長部（２６）は、前記溝（１３０）の軸線に沿って挿入することによって前記ベース構造の前記溝（１３０）とかみ合うように構成されている、請求項５に記載の交換可能なシェービングカートリッジ。
【請求項７】
前記内側を向いた側面は、前記ハウジングに対して前記ベース構造が動かないように位置決めするべく構成されている、請求項５に記載の交換可能なシェービングカートリッジ。
【請求項８】
前記溝（１３０）は、前記ハンドルに対する前記ハウジングの適切な向きを保証するべく非対称的な断面形状を有している、請求項４に記載の交換可能なシェービングカートリッジ。
【請求項９】
前記外側面は、台形の断面形状を画成しており、前記溝（１３０）の前記内側を向いた側面は、前記ハンドルに対する前記ハウジングの適切な向きを保証するように構成されている、請求項４に記載の交換可能なシェービングカートリッジ。
【請求項１０】
前記溝（１３０）は、前記ハンドルに対する前記ハウジングの適切な向きを保証するために非対称的な断面形状を有しており、かつ前記断面形状は台形である、請求項４に記載の交換可能なシェービングカートリッジ。
【請求項１１】
前記溝（１３０）は、前記ハンドルに対する前記ハウジングの適切な向きを保証するために非対称的な断面形状を有し、かつ前記断面形状は６つの側面を有している、請求項４に記載の交換可能なシェービングカートリッジ。
【請求項１２】
前記ベース構造（２７）は、前記ハンドル（１２）にプレスばめされるように構成されている、請求項１に記載の交換可能なシェービングカートリッジ。
【請求項１３】
前記ベース構造（２７）は、爪（１３２）を有し、前記ハンドル（１２）は、前記爪を受けるかみ合い凹部（１２２）を有している、請求項４に記載の交換可能なシェービングカートリッジ。
【請求項１４】
前記ハンドルは、爪を有し、前記ベース構造は、前記戻り止めを受けるかみ合い凹部を有している、請求項４に記載の交換可能なシェービングカートリッジ。
【請求項１５】
前記ベース構造（２７）は、前記ハンドル（１２）に着脱可能に固定される、請求項１に記載の交換可能なシェービングカートリッジ。
【請求項１６】
前記ハウジング（１６）および前記相互接続部材（２４）は、互いに独立した異なるプラスティックの部品から作られる、請求項１に記載の交換可能なシェービングカートリッジ。
【請求項１７】
前記ハウジングおよび前記相互接続部材は、プラスティックの同じ部品から作られ、前記揺動支持構造は、リビングヒンジ（２１２）によって形成される、請求項１に記載の交換可能なシェービングカートリッジ。
【請求項１８】
前記揺動支持構造は、可撓性プラスティックヒンジ部分（２００）によって形成され、当該可撓性プラスティックヒンジ部分は、前記ハウジングよりさらに可撓性を有する材料により形成され、前記ハウジングおよび相互接続部材を接続する、請求項１に記載の交換可能なシェービングカートリッジ。
【請求項１９】
前記相互接続部材の前記揺動支持構造は、溝（１３１）に保持された端部を具備する２つのアーム（２８）を有し、前記溝（１３１）は前記ハウジング（１６）の２つの端部に開口を有している、請求項１に記載の交換可能なシェービングカートリッジ。
【請求項２０】
前記相互接続部材の前記揺動支持構造は、前記ハウジングの２つの端部に開口を具備している溝（１３１）に保持された端部を具備した２つのアーム（２８）を有し、上記アームの端部は、前記ハウジングの前記溝にスナップ係合される、請求項１に記載の交換可能なシェービングカートリッジ。
【請求項２１】
前記相互接続部材の前記揺動支持構造は、前記ハウジングの２つの端部に開口を具備している溝（１３１）に保持された端部を具備した２つのアーム（２８）を有し、上記溝は、その構内に前記アームの前記端部を保持するようにクリップ（６８）によって力バーされている、請求項１に記載の交換可能なシェービングカートリッジ。
【請求項２２】
前記相互接続部材の前記揺動支持構造は、前記ハウジングの２つの端部に開口部を具備している溝（１３１）に保持される端部を具備した２つのアーム（２８）を有し、前記アームの前記端部は、上記ハウジングの弧状面を摺動する摺動面（１３８）を有している、請求項１に記載の交換可能なシェービングカートリッジ。
【請求項２３】
前記相互接続部材は、前記ばね付勢されたカムフォロアが通過するカムフォロア開口（７４）を有している、請求項１に記載の交換可能なシェービングカートリッジ。
【請求項２４】
前記ハウジングは、前記ハウジングの揺動を制限するために前記相互接続部材と相互に作用する前壁部分を有している、請求項１に記載の交換可能なシェービングカートリッジ。
【請求項２５】
前記刃は前記ハウジングの上側から前記ハウジング内に装着されている、請求項１に記載の交換可能なシェービングカートリッジ。
【請求項２６】
前記刃は前記ハウジングの上側から前記ハウジング内に装着されており、かつ前記刃は、前記ハウジングの底部側に前記相互接続部材を保持しているクリップ（６８）によって前記ハウジングに保持されている、請求項１に記載の交換可能なシェービングカートリッジ。
【請求項２７】
前記ハウジングは３つの刃を支持している、請求項１に記載の交換可能なシェービングカートリッジ。
【請求項２８】
前記刃は、ばね（６２）で付勢されている、請求項１に記載の交換可能なシェービングカートリッジ。
【請求項２９】
前記刃は、前記ハウジングと一体のばねアーム（６２）によって前記ハウジング内に弾性的に支持されている、請求項１に記載の交換可能なシェービングカートリッジ。
【請求項３０】
前記ガード（２０）はエラストマーから作られている、請求項１に記載の交換可能なシェービングカートリッジ。
【請求項３１】
前記キャップ（２２）は、潤滑シェービング補助部品を含んでいる、請求項１に記載の交換可能なシェービングカートリッジ。
【請求項３２】
前記揺動支持構造は、前記ガード（２０）の領域において前記刃の前方に揺動軸線を有し、前記ハウジングは３つのばね付勢された刃を有し、前記ガード（２０）はエラストマーから作られ、前記キャップ（２２）は潤滑シェービング補助成分を含んでいる、請求項１に記載の交換可能なシェービングカートリッジ。
【請求項３３】
１つまたは複数の刃を支持するハウジングと、揺動支持構造、およびハンドルに着脱自在に取り付けられるように構成されたベース構造を有しているハンドルに接続するための相互接続部材とを提供する工程と、
前記揺動支持構造を前記ハウジングの溝に挿入する工程と、
前記揺動支持構造を前記溝に保持する工程とを備える、交換可能なシェービングカートリッジの製造方法。
【請求項３４】
前記保持工程は、スナップ係合工程を含んでいる、請求項３３に記載の方法。
【請求項３５】
前記保持工程は、クリップにより揺動支持構造を保持する工程を含んでいる、請求項３３に記載の方法。
【発明の詳細な説明】
本発明は、ハンドルと交換可能なカートリッジを備えたシェービング装置に関する。
シェービング装置は、ハンドルと、１つまたは複数の刃がプラスティック製のハウジングに取り付けられた交換可能なカートリッジとからなる。カートリッジの刃は、使用するにつれて切れなくなる。そのとき、カートリッジは廃棄され、新しいカートリッジがハンドルに置き換えられる。いくつかのシェービング装置において、刃は、カートリッジハウジングに対して弾性的に取り付けられ、シェービング中に皮膚に接触する力でたわむ。いくつかのシェービング装置において、ハンドルへのカートリッジの接続は、ハンドルに関してカートリッジを回転可能に取り付け、カートリッジの角度をシェービングされる表面の輪郭に従うように調整する。このような装置において、カートリッジは、カートリッジハウジングのカム面に対してハンドルに支持され、ばね付勢されたプランジャ（カムフォロア）の作動によって休止位置に向かって付勢することができる。
一般に、１つの側面において、本発明は、刃と、ガードと、キャップと、カム面とを備えたハウジングを有する交換可能なシェービングカートリッジを特徴とする。またカートリッジは、揺動可能な支持構造を備えた相互接続部材を含み、この支持構造は、ハウジングおよびハンドルに着脱可能に固定されたベース構造を揺動可能に支持する。相互接続部材は、ハンドル上のばね付勢カムフォロアによってカム面に当接する。
通常、他の側面において、本発明は、刃と、ガードと、キャップとを有するハウジングを備えた交換可能なシェービングカートリッジを特徴とする。また、カートリッジは、揺動支持構造を備えた相互接続部材を有し、この支持構造は、回転軸の周りでハウジングを揺動可能に支持し、ハンドルの端部の延長部に取り外し可能に固定されたベース構造とを有する。ハンドルの延長部は外側面を有し、ベース構造は、内側を向いた側面を有する溝を有し、内側を向いた側面は、ハンドルの延長部に関してベース構造を動かないように位置決めするようにハンドルの延長部に十分な数の外側面に係合する。また、ベース構造は、揺動軸に関して平行ではない軸に沿って溝に開口部を有する。
通常、他の側面において、本発明は、刃と、ガードと、キャップとを有するハウジングを備えた交換可能なシェービングカートリッジを特徴とする。またカートリッジは、ベース構造を備えた相互接続部材を有し、このベース構造は、延長軸線に沿ってハンドルの端部から延びるハンドル延長部に取り外し可能に固定される。このハンドル延長部は、外側面と、延長軸線に直角な側面を通る平面に非対象的な断面を有する。ベース構造は、延長部とかみあう溝を有し、延長部に関してベースを動かないように位置決めし、ハンドルに対してハウジングの向きを適当にするように非対称断面形状の延長部に沿って外側面に係合する内側を向いた側面を有する。ベース構造は、平面に直角な軸に沿って溝に対する開口部を有する。
１つの側面において、本発明は、通常、交換可能なカミソリ刃カートリッジを特徴とし、このカミソリ刃カートリッジは、刃ユニットと、この刃ユニットをハンドルに接続するカートリッジ接続構造を含む。カートリッジ接続構造は、内側に向いた表面を有し、この表面は、ハンドルを受ける領域の一部を形成し、ハンドルのハンドル接続構造の外側に向かう表面とかみあう。またカートリッジは、ハンドルを受ける領域への接続入口と、ハンドルを受ける領域に延びている突出部とを有する。この突出部は、カートリッジの接続構造にハンドル接続構造を保持するために接続入口から反対方向に面しているブロック表面を有する。
他の側面において、本発明は、通常、交換可能なカミソリ刃カートリッジを特徴とし、このカミソリ刃カートリッジは、カートリッジ接続構造に揺動可能に接続された刃ユニットを有し、カートリッジ接続構造は、ハンドルからカートリッジを解放するように可動な部材を有する。
本発明の１つの実施例は、１つまたは複数の次の特徴を有する。
ある実施例において、ハウジングは、刃の下に妨げられることのない洗浄領域を有し、揺動支持構造は、ガードの領域の前方に揺動軸線を有する。ベースの溝の形状は、台形でもよく、６辺を有し、刃に平行な方向に平坦である。
ある実施例において、ベース構造は、ハンドルにスナップ適合される。ベース構造は、戻り止めを有し、ハンドルは戻り止めを受ける形状のかみ合い凹部部分を有する。別の例として、ハンドルは、戻り止めを有し、ハンドル構造は、戻り止めを受けるかみ合い凹部部分を有する。複数の戻り止めおよび凹部部分が使用される。別の例として、ベース構造は、ハンドルに固定される。
ある実施例において、ハウジングおよび相互接続部材は、プラスティックの別の部品から製造される。別の例として、ハウジングと相互接続部材は、プラスティックの同じ部品から製造される。回転支持構造は、リビングヒンジによって提供される。別の例として、揺動支持構造は、可撓性プラスティックヒンジ部分によって形成され、このプラスティックヒンジ部分は、ハウジングよりさらに可撓性を有し、回転領域でハウジングおよび相互接続部材を接続する。
ある実施例において、相互接続部材の揺動支持構造は、端部を備えた２つのアームを有し、この端部は、ハウジングの２つの側面に開口部を有する溝に保持されている。アームの端部は、ハウジングの溝にプレスばめされている。溝は、溝内にアームの端部を保持するためにクリップによってカバーされている。アームは、ハウジングの上方を向いた弧状面で摺動する下面を有する。
ある実施例において、ハウジングは、相互に接続された部材からばね付勢されたプランジャのカムフォロア表面を受けるカム面を有する。相互接続部材は、ばね付勢部材を受ける開口部を有する。カム面は休止位置から一方向にのみ揺動することができ、休止位置から前方および後方に異なる大きさで揺動することができる。またハウジングは、相互接続部材と相互作用する前方および後方停止面を有する。
ある実施例において、刃はハウジングの上側からハウジングに入れられる。刃は、ハウジングの底部側で相互接続部材を保持するクリップによってハウジングに保持される。ハウジングは３つの刃を支持している。刃はばね付勢される。例えば、刃はハウジングと一体的なばねアームによってハウジングに弾性的に支持されている。ガードは、エラストマーでつくられ、ユーザの皮膚に係合する可撓性フィンを有する。
通常、他の側面において、本発明は、交換可能なシェービングカートリッジを製造する方法を特徴とする。刃と、回転支持部材を有する相互接続部材と、ハンドルに取り外し可能に固定されるベース構造とが設けられる。揺動支持構造は、ハウジングの溝に挿入される。揺動支持構造は、溝に保持される。
本発明の実施例は、１つまたは複数の次の特徴を有する。把持工程は、スナップ適合および／またはクリップを含む。この刃は、クリップを加え、前記刃をクリップで保持する前にハウジングに刃を加える。
さらに他の側面において、本発明は、手で把持する細長い把持構造と、手で把持する構造の端部から延びるカートリッジ支持構造を有するシェービングカミソリを特徴とする。カートリッジ支持構造は、カートリッジの溝の内側を向いた表面とかみあう外側面と、開口部を備えた端面とを有する。ばね付勢プランジャは、カートリッジ支持構造に保持され、カートリッジ支持構造の前記開口部を通して延びている。
本発明のある実施例は、１つまたは複数の次の特徴を有する。
ある実施例において、外側面は、ハンドルに関するカートリッジの適当な向きを保証するために非対称断面形状の向きを提供し、ばね付勢プランジャは、カートリッジ支持構造の溝によって案内される。エジェクタおよびスナップ適合エジェクタボタンは、カートリッジを放出するために使用される。エジェクタボタンは、カートリッジ支持構造への取り付けを容易にするために傾斜面を有する。エジェクタボタンは、エジェクタを押すときにカートリッジ支持構造の案内面上を摺動する。カートリジ支持構造は、軌道を有する。エジェクタボタンは、軌道上を摺動する溝を有する。
ある実施例において、プランジャおよびエジェクタは、ばねによって両方向に付勢される。プランジャはカートリッジ支持構造内にプランジャを保持する停止部を有する。プランジャは傾斜面を備えたアームを有する。傾斜面と停止部はプランジャ上に伸びており、プランジャを案内するためにカートリッジ支持構造のスロットに保持されている。停止部は、停止部をカートリッジ支持構造に挿入することができるように傾斜面を有する。プランジャは、プランジャを案内する後方の案内部材を有する。
ある実施例において、ばねの第１の端部は、プランジャを停止部に付勢し、ばねの第２の端部は、カートリッジ支持構造の後面にエジェクタを付勢する。エジェクタボタンおよびカートリッジ支持構造は、ばねを捕捉して案内するばね支持部分を有する。
ある実施例において、エジェクタアームと、エジェクタボタンに係合する狭い部分とを有するＵ形状のクリップを有し、カートリッジ支持構造は、エジェクタアームと狭い部分が摺動するかみ合いガイド面を有する。
ある実施例において、カートリッジ支持構造および細長い把持構造は、プラスティックの１つの部品からつくられる。別の例として、カートリッジ支持構造および細長い把持構造は分離したプラスティックからつくられる。
通常、他の側面において、本発明は、手で把持する細長い把持構造と、手で把持する細長い把持構造の端部から延びているカートリッジ支持構造とを有する。手で把持する細長い把持構造は、把持部分を有し、エラストマープラスティック製の外側把持層と、手で把持する細長い把持構造にプレスばめされる延長部を有する非エラストマープラスティック支持層とを有する把持部分を含む。
ある実施例において、手で把持する細長い把持構造は、プラスティックからつくられ、重りが配置される溝が形成される。プラスティックは金属色のプラスティックである。
通常、他の側面において、本発明はシェービングカミソリハンドルをつくる方法を特徴とする。手で把持する細長い把持構造および手で把持する細長い把持構造の端部から延びるとともに内側に面する停止面を備えた溝を有する取り付けカートリッジ支持構造が提供される。ばねおよび外側に向いた停止面を有するプランジャは、外側に向いた停止面が内側に向いた停止面を押し、内側に向いた停止面によって保持されるまで溝に挿入される。
本発明のある実施例は、次の１つまたは複数の特徴を含む。エジェクタは、溝に挿入される。エジェクタボタンは、エジェクタを押すようにカートリッジの支持構造に挿入される。
通常、他の側面において、本発明は、ハンドルと、回転ハウジングと相互接続部材を含む交換可能なシェービングカートリッジとを有するカミソリを特徴とする。ハウジングは、刃と、ガードと、キャップとを支持しており、カム面を有する。相互接続部材は、ハウジングを回転可能に支持する回転支持構造と、溝を有する中央ベース構造と、カム面に面する溝の開口部を有する。ハンドルは、溝とかみ合う形状のカートリッジ支持構造と、カートリッジ支持構造から開口部を通ってカム面に作用してハウジングを付勢するカムフォロア面を備えたばね付勢プランジャとを有する。
通常、他の側面において、本発明は、ハウジングと、相互接続部材を含む交換可能なシェービングカートリッジとを有するカミソリを特徴とする。ハウジングは、少なくとも１つの刃と、ガードと、キャップとを有する。相互接続部材は、揺動支持構造と、溝を有する中央ベース構造とを有する。ハンドルは、溝とかみ合う形状の延長部と、カートリッジ支持構造から中央ベース構造への形状を連続するように中央ベース構造と同じ構造を有する。
本発明のある実施例は、１つまたは複数の次の特徴を有する。中央ベース構造は、刃に平行な軸線に沿って平坦であり、曲がった形状か、または傾斜形状を有する。
本発明の他の利点および特徴は、その好ましい実施例の詳細な説明および請求の範囲から明らかになる。
図１は、本発明によるシェービングカミソリの斜視図である。
図２は、ハンドルと、互いに分離した図１のカミソリの交換可能なカートリッジとを示す斜視図である。
図３は、図２のハンドルの部品の分解図である。
図３Ａは、図２のハンドルの部品の図３Ａないし図３Ａで切った断面図である。
図４は、図２の交換可能なカートリッジの部品の分解図である。
図４Ａは、図２の交換可能なカートリッジの部品の図１４の４Ａないし４Ａでの分解断面図である。
図５は、図２のハンドルの端部のカートリッジ支持構造を示す部分平面図である。
図６は、図２のハンドルのプランジャの正面図である。
図７は、図５のカートリッジ支持構造の線７−７で切った部分断面図である。
図８は、図５のカートリッジ支持構造の線８−８で切った断面図である。
図９は、図５のカートリッジ支持構造の線９−９で切った部分断面図である。
図１０は、図５のカートリッジ支持構造に使用されるエジェクタの平面図である。
図１１は、図６のプランジャの斜視図である。
図１２は、図５のカートリッジ支持構造に使用されるエジェクタボタンの正面図である。
図１３は、図２の交換可能なカートリッジの正面図である。
図１４は、図１３の交換可能なカートリッジの平面図である。
図１５は、図１３の交換可能なカートリッジの底面図である。
図１６は、ハンドルへの接続の前における、カートリッジのベース構造に対する非付勢回転位置の図１３のカートリッジのハウジングを示す一部を破断した側面図である。
図１７は、ハンドルへの接続後の付勢位置の図１３のカートリッジの一部を破断した側面図である。
図１８は、図１３の交換可能なカートリッジの回転運動の範囲を示す一部を破断した側面図である。
図１９は、図２のハンドルの延長部の断面図である。
図２０は、図２のハンドルの延長部の他の実施例の断面図である。
図２１および図２２は、異なる回転支持構造を有するカートリッジの他の実施例の側面図である。
図１および図２を参照すると、シェービングカミソリ１０は、ハンドル１２と交換可能なカートリッジ１４とを有する。図２を参照すると、カートリッジ１４は、ハンドル１２から取外し可能である。カートリッジ１４は、ハウジング１６を有し、このハウジング１６は、３つの刃１８と、ガード２０と、キャップ２２とを有する。またカートリッジ１４は、ハウジング１６が回転可能に取り付けられる相互接続部材２４を有する。相互接続部材２４は、ベース２７を有し、ベース２７は、ハンドル１２の非対称断面形状の延長部２６（図１９）に着脱可能に装着され、また、相互接続部材２４は、２つの側面で揺動可能にハウジング１６を支持する２つのアーム２８を有する。
図３を参照すると、ハンドル１２は、他の部品を取り付ける第１の構造部材として金属色のプラスティック部品３０を有する。部品３０の細長い部分３２は、金属（亜鉛）の重り３６を受ける溝３４を有し、この重り３６は、完成したユニットに手で持つ構造を提供するためにプラスティック製保持部分３８と４０との間に挟まれている。プラスティック製の把持部分３８および４０は、二色成形によって製造されるエラストマー製のプラスティック製の外側把持層３７（例えば、熱可塑性エラストマー）と、非エラストマープラスティック層３９（例えば、アクリルニトリル・ブタジエン・スチレン）とから製造される。非エラストマープラスティック支持層３９は、細長い部分３２の重り３６にプレスばめされる延長部４１を有する。図３Ａは、変形されない形状の延長部４１（架線）と、突出部４３において延長部によってつくられた絞りばめを示す。
カートリッジ支持構造４２は、細長い部分３２の端部から延びている。それは、台形状の延長部２６（図１９参照）と、相互接続部材２４に対してハウジング１６の付勢を行うばね付勢プランジャ動作を行わせる部材とを提供する。また、カートリッジ支持構造４２は、ハンドル１２からカートリッジ１４を解放する部品を含む。
ばね付勢プランジャ４４と、ばね４６と、Ｕ形状のエジェクタ４８が、カートリッジ支持構造４２の溝４９内に受けられる。エジェクタボタン５０が支持構造４２の上面の開口部５２に設けられ、エジェクタ４８の後方の狭い部分で矩形の領域５６内に収容されている。
図４，図４Ａおよび図１５を参照すると、カートリッジ１４のハウジング１６は、刃１８のベース部分５９の縁部を受ける側壁６０の内側を向いたスロット５８と、各刃が弾性的に支持される各弾性アーム６２を有する。刃１８は、使用中のカートリッジの洗浄を容易にするために側壁６０の間のほぼ妨げられない領域６４内に配置されている。
キャップ２２は、潤滑シェービング補助剤を提供し、ハウジング１６の後方でスロット６６に装着される。キャップ２２は、当業者に公知で、例えば、米国特許第５，１１３，５８５号および米国特許第５，４５４，１６４号に説明されている疎水性材料および水が浸出できる浸水性ポリマー材料の混合物を含む材料からつくられる。ガード２０は、ユーザの皮膚に係合し、それらを拡張するためにハウジング１６の前方に取り付けられているフィンを備えたエラストマーユニットを有し、例えば、参考によりここに組み込まれている米国特許第５，１９１，７１２号に説明するような他の皮膚係合突出部分を使用することができる。クリップ６８は、ハウジング１６内に刃１８を保持し所望の露出でばね付勢刃の刃縁を位置せしめるために、側壁６０の隆起縁部７０の内側でハウジング１６の各側部に固定されている。
またクリップ６８は、ハウジング１６の底部の周りを包囲し、相互接続部材２４のアーム２８の回転支持端部７２が外れることを防止する。ベース２７は、上部に開口部７４を有し、この開口部７４を通してハンドルのばね付勢プランジャ４４がハウジング１６の底部のカム面（図４には示さない）に作用する。ベース２７は、湾曲したまたはベベル形状を有する。
図５ないし図１２および図１９は、プランジャ４４と、エジェクタ４８と、ボタン５０と、カートリッジ支持構造４２とを示している。図５を参照すると、カートリッジ支持構造４２内の溝は、エジェクタ４８（図１０）のアーム７８を受ける広い前方部分７６と、エジェクタ４８の狭い部分８２を受ける狭い部分８０とを有する。エジェクタ４８の狭い部分８２の矩形の領域５６は、支持構造４２の上面の開口部５２と整列するが、エジェクタ４８がエジェクタボタン５０によって外側に押されるとき、摺動軸線８３に沿って開口部５２に関して可動である。
図８及び図１２を参照すると、エジェクタボタン５０の各延長部５４は、外側を向いた溝８４を有し、この溝８４は、軸８３に沿って開口部５２内の各軌道８６を摺動する。溝８４を形成する上面８５は、軌道８６の上面８９上を摺動し、溝８４を形成する下面９１は、軌道８６の下面上の捕捉に影響を与え、軌道８６の下面に接触する。延長部５４は、ボタン５０がカートリッジ支持構造４２に挿入されるとき、延長部５４をたわませるために軌道８６の曲がった上方コーナーと協働する傾斜面を有する。延長部５４の溝８４が軌道８６と整列するとき、延長部５４は、ほぼそれらのたわまない位置に戻り、エジェクタボタン５０を開口部５２内の所定の位置に固定する。エジェクタ４８はボタン５０が挿入される前に溝４９内に配置され、延長部５４の端部は、カートリッジ支持構造４２内にエジェクタ４８を保持するように矩形の領域５６内に配置される。延長部５４は、エジェクタボタン５０がハンドル１２の端部に押されるとき、エジェクタ４８の面９４を押す。ボタン５０が挿入された後、延長部５４の上方垂直面９６は、開口部５２の上面９８の間の空隙内に配置される。
ばね４６は、延長部５４の間の空隙を通って延びており、ボタン５０のばねガイド９０の曲がった下面によって案内される。図８に示すように、また下面形成溝４９は、ばね４６を受けおよび案内するために曲がった中央部分９２を有する。
図６および図１１に示すように、プランジャ４４は、平坦な本体１０６と、ばね４６（図３）を受ける円筒形の後方延長部１００と、ハウジング１６のカム面１３６（図１８）に作用する曲がった前方カムフォロア部分１０２と、サイドアーム１０４と、整列した後方ガイド部分１０８とを有する。平坦な本体１０６は、溝４９の平坦な前方部分内に配置される。サイドアーム１０４の部分および本体１０６の上下に整合された後方ガイド部分１０８は、非対称断面形状の延長部２６の両側に配置されたスロット１１０，１１２内に配置されている。サイドアーム１０４は、スロット１１０および１１２の前方を越えてプランジャ４４の前方の動きを防止する停止面１１４を有する。スロット１１０，１１２内のサイドアーム１０４およびガイド部分１０８の部分は、軸８３に沿ってプランジャ４４の摺動作用を案内するガイドとして作用する。
サイドアーム１０４は、停止面１１４がスロット１１０，１１２の前端を越えて前進し、停止面１１４が各スロット内の所定の位置に嵌合するまで溝に挿入されるとき、アーム１０４を下方に付勢する傾斜面を有する。スロット１１０，１１２が非対称断面形状の延長部２６の両側に設けられているので、プランジャ４４がいずれかの位置に向くように、停止面１１４がスロット１１０または１１２に向くように挿入することができる。
図５および図９を参照すると、非対称断面形状の延長部２６の１つの表面は、カートリッジ１４を延長部２６に保持するためにカートリッジ１４のベース２７内に戻り止めを受けるくぼみ１２２を有する。
ハンドル１２の製造において、手によって把持される部品は、重り３６を溝３４に挿入することによって組み立てられ、次に部品３８，４０のプラスばめ延長部が重り３６の整列した開口部に挿入される。重り３６および部品３８，４０は、延長部４１と突出部４３との間の干渉適合によって所定の位置に固定される。エラストマー層３７は、プラスティック部品３０と重り３６の細長い部分３２の側壁の間に密封を提供するために変形される（図３Ａは、部品の変形されない形状を鎖線で示したものである）。
ハンドル１２の端部でカートリッジ支持構造４２の部品を組み立てるときに、まずエジェクタ４８が溝４９に挿入される。次にばね４６およびプランジャ４４が挿入される。サイドアーム１０４の傾斜面１２０は、挿入中溝の中間に向かって付勢され、（プランジャの向きに依存して）スロット１１０または１１２にスナップ結合し、プランジャ４４、ばね４６、及びエジェクタ４８をカートリッジ支持構造４２の所定位置に固定する。ばね４６は、溝４９の表面およびボタンの延長部５４に対して後方にエジェクタ４８を付勢し、プランジャ４４を前方に付勢するように作用し、停止面１１４が、スロット１１０または１１２の前縁に対して付勢される。ボタン５０は、エジェクタ４８が所定の位置に挿入された後、開口部５２に挿入される。傾斜面８７は軌道８６の曲がった上方部分によって内側に付勢され、エジェクタボタン５０は、軌道８６内の所定の位置に適合され、軌道８６が溝８４内に配置される。
図１３ないし図１８は、交換可能なカートリッジ１４および揺動運動の詳細を示している。図１３を参照すると、クリップ６８によって保持されている回転支持端部７２を備えたハウジング１６に組み立てられている相互接続部材２４が示されている。ベース２７は、延長部２６と同じ形状であり、延長部２６とかみあう台形状の溝１３０を有する。
図１５を参照すると、他のカートリッジ部品をその上に組み立てる前に示されるハウジング１６は、アーム２８の端部の回転支持端部７２を受ける溝１３１を有する。アーム２８は、支持端部７２が開口部を通って溝１３１に挿入されるときたわみ、端部７２を所定の位置に配置するために溝１３１内に配置した後、スナップ適合がたわまない向きに戻される。
図４Ａおよび図９を参照すると、ベース２７の溝１３０の戻り止め１３２は、非対称的な断面形状の延長部２６のくぼみ１２２とかみ合う。溝１３０の上部には、開口部７４があり、この開口部７４は、ばね付勢プランジャ４４をベース２７を通して延長させ、ハウジング１６の底部のカム面１３６と相互作用することができるようにする。
図１６ないし図１８を参照すると、各揺動支持端部７２は、ハウジング１６の上方の湾曲面１４０を摺動し、面１４０を含む円の中央に揺動軸を提供する下方の湾曲面１３８を有することが分かる。揺動軸は、ガード２０の領域の刃の前方にある。図１６は、揺動支持端部７２が案内壁１６２の前表面を支持する付勢されない位置のハウジング１６を示す。図１７は、ハウジング１６が前方に付勢した状態を示し、この場合、揺動支持端部７２の前表面がハウジング１６の前壁部分に対して押される。これは、シェービングの前のハウジング１６の休止位置である。休止位置での前方への付勢は、カム面の輪郭を形成することによって達成され、カムフォロア面１０２を有するプランジャ４４は、図１８に示すようにハウジング１６の前方近くの休止位置を有する。
図１８は、ハウジング１６の回転運動の範囲を示す。キャップ２２は、シェービング中に最初にユーザの皮膚に接触し、ハウジング１６は、時計方向に回転し、ユーザの顔の輪郭に従い、プランジャ４４によって付勢される。キャップ２２の最初の向きは、最初、キャップ２２に近い刃を、ガードに接近した刃よりも皮膚に押すことができるようにする。しかしながら、ガードの領域の揺動および軽い揺動力は、シェービング中にカートリッジを“重いガード”にし、キャップよりガードの荷重を大きくする。３つの刃は、漸進的な最初の露出が行われ、この露出は、各刃の前方および直ぐ後方のカートリッジ部品の皮膚接触面に正接した平面に関して測定された刃縁の垂直方向の距離、すなわち高さとして定義される。特に、主な刃は、初期の負の露出を有し、第２の刃は、ゼロの初期の露出を有し、第３の刃は正の最初の露出を有する。ばね定数と刃の予備荷重は同じであり、刃はシェービング中に“漸進的な力”を有し、第３の刃の力は、第１の刃の力より大きく、第２の刃の力は、第１および第３の波の力の中間か、または第１または第３の刃のいずれかの力に等しい。有利なシェービングの結果は、弾性的に取り付けられた３つの刃を有するカートリッジが、シェービング中にこのような漸進的な力のパターンを呈するときに達成されると考えられる。
本発明の１つの実施例は、請求項の範囲内にある。ベース構造は、解放可能なラッチでハウジングに保持することができる。刃は上部の代わりに底部からの荷重を受ける。カートリッジ支持構造は、ハンドルから分離された１つのユニットとしてつくられ、それに取り付けられる。台形の延長部２６の代わりに（図１９）、６つの側面を有する延長部２２６（図２０）または他の非対称断面形状を使用することができる。
回転接続部分は、各穴、シェル軸受、他の技術でピンによって提供される。例えば、図２１を参照すると、揺動支持構造は、可撓性のプラスティックヒンジ部分２００によって提供され、このヒンジ部分２００は、ハウジング２０２よりさらに可撓性を有する材料からつくられ、回転領域２０６でハウジング２０２と相互接続部材２０４とを接続する。これらの部品は、二色成形によってつくられる。別の例として、図２２を参照すると、ハウジング２０８および相互接続部材２１０は、プラスティックの同じ部品からつくられ、回転支持構造は、リビングヒンジ２１２によって提供される。またリビングヒンジは、ハウジングと異なるプラスティックの相互接続部材とともに使用される。
【図１】
0004166279.tif 000002
【図２】
0004166279.tif 000003
【図３】
0004166279.tif 000004
【図３Ａ】
0004166279.tif 000005
【図４】
0004166279.tif 000006
【図４Ａ】
0004166279.tif 000007
【図５】
0004166279.tif 000008
【図６】
0004166279.tif 000009
【図７】
0004166279.tif 000010
【図８】
0004166279.tif 000011
【図９】
0004166279.tif 000012
【図１０】
0004166279.tif 000013
【図１１】
0004166279.tif 000014
【図１２】
0004166279.tif 000015
【図１３】
0004166279.tif 000016
【図１４】
0004166279.tif 000017
【図１５】
0004166279.tif 000018
【図１６】
0004166279.tif 000019
【図１７】
0004166279.tif 000020
【図１８】
0004166279.tif 000021
【図１９】
0004166279.tif 000022
【図２０】
0004166279.tif 000023
【図２１】
0004166279.tif 000024
【図２２】
0004166279.tif 000025